(57)【要約】本発明は、異種内容物の混合使用が可能なスポイド型化粧品容器に関するもので、本発明による異種内容物の混合使用が可能なスポイド型化粧品容器は、外キャップを回転時に外キャップとかみ合っている昇下降ガイド部材が一緒に回転し、内容物貯蔵部を上昇させて、密閉部材によって閉鎖された内容物貯蔵部の下端部が開放され、内容物の貯蔵部に貯蔵された内容物が容器本体に移動されるようにすることで、異種の内容物を簡単に混合できるだけでなく、スポイド部を用いて、混合された内容物を定量引き出して使用できることが特徴である。【選択図】図２
2015516200.tif 000002
【特許請求の範囲】
【請求項１】
第１内容物が収容される容器本体と；
前記容器本体の上部を覆って結合される円筒形状の内キャップと；
前記容器本体の上部から前記内キャップを覆って回転可能に結合され、中空が形成される外キャップと；
前記内キャップの内部に位置して、前記外キャップの内側とかみ合うように形成され、外キャップの回転によって一緒に回転し、両側面に対応する一対のガイド溝が形成される昇下降ガイド部材と；
前記の昇下降ガイド部材の内側から、昇下降ガイド部材の回転によって昇下降するように、前記一対のガイド溝に各々結合されるガイド突起が形成され、第２内容物が収容される空間を形成するが、下端が開放となる内容物貯蔵部と；
前記内容物貯蔵部の開放された下端を閉鎖する密閉部材と；
前記内キャップと昇下降ガイド部材との間で前記内キャップとかみ合うように設置され、内周面に前記ガイド突起の移動を案内するねじ山が形成される回転ガイド部材と；
前記外キャップに脱離可能に結合され、前記容器本体に収容される第１，２内容物の混合内容物を定量引き出すスポイド部と；を含むことを特徴とする異種内容物の混合使用が可能なスポイド型化粧品容器。
【請求項２】
前記内キャップの内側には、前記昇下降ガイド部材および回転ガイド部材が安着されるように内周面を取り巻いて係止部が形成されることを特徴とする請求項１に記載の異種内容物の混合使用が可能なスポイド型化粧品容器。
【請求項３】
前記回転ガイド部材の外周面上部には、前記内キャップとかみ合うように一定間隔離隔された多数の回転防止突起が形成され、前記内キャップの上部には、前記回転防止突起と当接する部分に回転防止突起が挿入されるように回転防止溝が形成されることを特徴とする請求項１に記載の異種内容物の混合使用が可能なスポイド型化粧品容器。
【請求項４】
前記外キャップは、前記内キャップを覆って結合され、外周面に回転方向を表示する回転表示部が形成される本体と、前記本体の上端中央部から上方向へ延長形成され、前記スポイド部とねじ結合されるスポイド結合部と、前記本体の上端中央部から下方向へ延長形成され、前記密閉部材を固定させる密閉部材固定部を含むことを特徴とする請求項１に記載の異種内容物の混合使用が可能なスポイド型化粧品容器。
【請求項５】
前記昇下降ガイド部材の外周面上部には、前記外キャップの本体とかみ合うように一定間隔離隔された多数の結合突起が形成され、前記本体の内側には、前記結合突起と当接する部分に結合突起が結合されるように結合溝が形成されることを特徴とする請求項４に記載の異種内容物の混合使用が可能なスポイド型化粧品容器。
【請求項６】
前記スポイド部は、前記スポイド結合部にねじ結合される把持部と、前記把持部の中央から下方向へ延長形成されて内容物を吸入、排出する管形状のスポイドパイプと、前記把持部の上端から前記スポイドパイプの上部を覆って結合され、ユーザーの加圧によって前記スポイドパイプの内部へ内容物を吸入してから排出させるラバー部材を含むことを特徴とする請求項４に記載の異種内容物の混合使用が可能なスポイド型化粧品容器。
【請求項７】
前記密閉部材は、前記内容物貯蔵部の下端内周面に密着され、内容物貯蔵部の下端を閉鎖する密閉板と、前記密閉板の上端中央部から上方向へ延長形成され、前記外キャップの密閉部材固定部に結合される結合管で構成されることを特徴とする請求項４に記載の異種内容物の混合使用が可能なスポイド型化粧品容器。
【請求項８】
前記内容物貯蔵部の上端中央部には、スポイドパイプが挿入、引出されることが可能なように貫通ホールが形成されることを特徴とする請求項１に記載の異種内容物の混合使用が可能なスポイド型化粧品容器。
【発明の詳細な説明】
【技術分野】
【０００１】
本発明は、異種の内容物の混合使用が可能なスポイド型化粧品容器に関するもので、より詳細には、外キャップを回転時に外キャップとかみ合っている昇下降ガイド部材が一緒に回転し、内容物貯蔵部を上昇させて、密閉部材によって閉鎖された内容物貯蔵部の下端部が開放されて内容物貯蔵部に貯蔵された内容物が容器本体へ移動されるようにすることで、異種の内容物を簡単に混合できるだけでなく、スポイド部を用いて、混合された内容物を定量引き出して使用できる異種内容物の混合使用が可能なスポイド型化粧品容器に関するものである。
【背景技術】
【０００２】
一般的に流通および使用されている容器は、大部分一つの容器に一種類の内容物を保管および使用することとなっている。
【０００３】
最近となって、内容物の特性を向上させるために、液相成分の内容物に粉成分の内容物を混合したり、異種の液状内容物を混合して使用する場合が増えており、このような場合、異種の内容物を各々保管する容器が別途に具備されるべきであって、これらを混合して使用する場合、二つの容器を取り扱うという煩わしい問題点があった。
【０００４】
また、二つの内容物の別途包装および容器製作による資源の浪費などの問題点が生じることはもちろん、定量の混合ではなく、ユーザーの任意的混合が行われることしかなくて、不完全であり、食飲料の混合においては、味の変化および変質など化学的変化、または薬品および化学的物品の混合においては、物質効能の不完全な溶解など、物理的変化作用などの多様な問題点があった。
【０００５】
これらの問題点を解決するために、一つの容器内に異種の内容物を各々保管して、使用時に異種の内容物を混合して使用できる多様な容器が開発されている。
【発明の開示】
【発明が解決しようとする課題】
【０００６】
本発明は、上述した問題点を解決するために案出されたもので、本発明の目的は、外キャップを回転時に外キャップとかみ合っている昇下降ガイド部材が一緒に回転し、内容物貯蔵部を上昇させて、密閉部材によって閉鎖された内容物貯蔵部の下端部が開放され、内容物貯蔵部に貯蔵された内容物が容器本体へ移動されるようにすることで、異種の内容物を簡単に混合できるだけでなく、スポイド部を用いて、混合された内容物を定量引き出して使用できる異種内容物の混合使用が可能なスポイド型化粧品容器を提供することである。
【課題を解決するための手段】
【０００７】
前記のような問題点を解決するために、本発明による異種内容物の混合使用が可能なスポイド型化粧品容器は、第１内容物が収容される容器本体と；前記容器本体の上部を覆って結合される円筒形状の内キャップと；前記容器本体の上部から前記内キャップを覆って回転可能に結合され、中空が形成される外キャップと；前記内キャップの内部に位置して、前記外キャップの内側とかみ合うように形成され、外キャップの回転によって一緒に回転し、両側面に対応される一対のガイド溝が形成される昇下降ガイド部材と；前記昇下降ガイド部材の内側から昇下降ガイド部材の回転によって昇下降されるように、前記一対のガイド溝に各々結合されるガイド突起が形成されて、第２内容物が収容される空間を形成し、下端が開放となる内容物貯蔵部と；前記内容物貯蔵部の開放された下端を閉鎖する密閉部材と；前記内キャップと昇下降ガイド部材との間で前記内キャップとかみ合うように設置され、内周面に前記ガイド突起の移動を案内するねじ山が形成される回転ガイド部材；前記外キャップに脱離可能に結合され、前記容器本体に収容される第１，２内容物の混合内容物を定量引き出すスポイド部と；を含むことを特徴とする。
【０００８】
また、前記内キャップの内側には、前記昇下降ガイド部材および回転ガイド部材が安着されるように内周面を取り巻いて係止部が形成されることを特徴とする。
【０００９】
また、前記回転ガイド部材の外周面上部には、前記内キャップとかみ合うように一定間隔離隔された多数の回転防止突起が形成され、前記内キャップの上部には、前記回転防止突起と当接する部分に回転防止突起が挿入されるように回転防止溝が形成されることを特徴とする。
【００１０】
また、前記外キャップは、前記内キャップを覆って結合され、外周面に回転方向を表示する回転表示部が形成される本体と、前記本体の上端中央部から上方向へ延長形成され、前記スポイド部とねじ結合されるスポイド結合部と、前記本体の上端中央部から下方向へ延長形成され、前記密閉部材を固定させる密閉部材固定部を含むことを特徴とする。
【００１１】
また、前記昇下降ガイド部材の外周面上部には、前記外キャップの本体とかみ合うように、一定間隔離隔された多数の結合突起が形成され、前記本体の内側には、前記結合突起と当接する部分に結合突起が結合されるように結合溝が形成されることを特徴とする。
【００１２】
また、前記スポイド部は、前記スポイド結合部にねじ結合される把持部と、前記把持部の中央から下方向へ延長形成されて内容物を吸入、排出する管形状のスポイドパイプと、前記把持部の上端から前記スポイドパイプの上部を覆って結合され、ユーザーの加圧によって前記スポイドパイプの内部へ内容物を吸入してから排出させるラバー部材を含むことを特徴とする。
【００１３】
また、前記密閉部材は、前記内容物貯蔵部の下端内周面に密着され、内容物貯蔵部の下端を閉鎖する密閉板と、前記密閉板の上端中央部から上方向へ延長形成され、前記外キャップの密閉部材固定部に結合される結合管で構成されることを特徴とする。
【００１４】
また、前記内容物貯蔵部の上端中央部には、スポイドパイプが挿入、引出されることが可能なように貫通ホールが形成されることを特徴とする。
【発明の効果】
【００１５】
以上、上述したように、本発明によると、外キャップを回転時に外キャップとかみ合っている昇下降ガイド部材が一緒に回転し、内容物貯蔵部を上昇させて、密閉部材によって閉鎖された内容物貯蔵部の下端部が開放され、内容物貯蔵部に貯蔵された内容物が容器本体に移動されるようにすることで、異種の内容物を簡単に混合できるだけでなく、スポイド部を用いて、混合された内容物を定量引き出して使用できる長所がある。
【図面の簡単な説明】
【００１６】
【図１】本発明の好ましい実施例による異種内容物の混合使用が可能なスポイド型化粧品容器の構成を示す斜視図。
【図２】本発明の好ましい実施例による異種内容物の混合使用が可能なスポイド型化粧品容器の構成を示す分解斜視図。
【図３】本発明の好ましい実施例による異種内容物の混合使用が可能なスポイド型化粧品容器の構成を示す断面図。
【図４】本発明の好ましい実施例による異種内容物の混合使用が可能なスポイド型化粧品容器の内キャップ、昇下降ガイド部材、内容物貯蔵部および回転ガイド部材の結合状態を示す説明図である。
【図５】本発明の好ましい実施例による異種内容物の混合使用が可能なスポイド型化粧品容器の内キャップ、昇下降ガイド部材、内容物貯蔵部および回転ガイド部材の結合状態を示す説明図である。
【図６】本発明の好ましい実施例による異種内容物の混合使用が可能なスポイド型化粧品容器の外キャップの構成図である。
【図７】本発明の好ましい実施例による異種内容物の混合使用が可能なスポイド型化粧品容器の使用方法を示す説明図である。
【図８】本発明の好ましい実施例による異種内容物の混合使用が可能なスポイド型化粧品容器の使用方法を示す説明図である。
【図９】本発明の好ましい実施例による異種内容物の混合使用が可能なスポイド型化粧品容器の使用方法を示す説明図である。
【発明を実施するための形態】
【００１７】
以下、図面を参照して本発明を詳細に説明する。各図面に提示された同一な参照符号は同一な部材を示す。
【００１８】
図１は、本発明の好ましい実施例による異種内容物の混合使用が可能なスポイド型化粧品容器の構成を示す斜視図であって、図２は、本発明の好ましい実施例による異種内容物の混合使用が可能なスポイド型の化粧品容器の構成を示す分解斜視図であり、図３は、本発明の好ましい実施例による異種内容物の混合使用が可能なスポイド型化粧品容器の構成を示す断面図である。
【００１９】
図４および５は、本発明の好ましい実施例による異種内容物の混合使用が可能なスポイド型化粧品容器の内キャップ、昇下降ガイド部材、内容物貯蔵部および回転ガイド部材の結合状態を示す説明図であり、図６は、本発明の好ましい実施例による異種内容物の混合使用が可能なスポイド型化粧品容器の外キャップの構成図である。
【００２０】
図１ないし６を参照すると、本発明の好ましい実施例による異種内容物の混合使用が可能なスポイド型化粧品容器は、容器本体（１００）、内キャップ（２００）、外キャップ（３００）、昇下降ガイド部材（４００）、内容物貯蔵部（５００）、密閉部材（６００）、回転ガイド部材（７００）、スポイド部（８００）が含まれる。
【００２１】
前記容器本体（１００）は、第１内容物が収容されるもので、その上部には内キャップ（２００）の結合が可能なように結合手段が形成される。
【００２２】
前記内キャップ（２００）は、前記容器本体（１００）の上部を覆って結合されるもので、上端と下端が開放形成される円筒形状に構成され、その内側には、後述する昇下降ガイド部材（４００）および回転ガイド部材（７００）が安着されるように内周面を取り巻いて係止部（２１０）が形成される。
【００２３】
本発明において、前記内キャップ（２００）の上部には、回転ガイド部材（７００）の回転防止突起（７１０）と当接する部分に回転防止突起（７１０）が挿入されるように回転防止溝（２２０）が形成されることが特徴で、回転防止溝（２２０）と回転防止突起（７１０）の結合を通じて内キャップ（２００）と回転ガイド部材（７００）がかみ合うように構成され、回転ガイド部材（７００）を固定させることとなる。
【００２４】
前記外キャップ（３００）は、前記容器本体（１００）の上部から前記内キャップ（２００）を覆って回転可能に結合されるもので、前記内キャップ（２００）を覆って結合され、外周面に回転方向を表示する回転表示部（３１１）が形成される本体（３１０）と、前記本体（３１０）の上端中央部から上方向へ延長形成されて後述するスポイド部（８００）とねじ結合されるスポイド結合部（３２０）と、前記本体（３１０）の上部中央部から下方向へ延長形成されて後述する密閉部材（６００）を固定する密閉部材固定部（３３０）で構成される。
【００２５】
本発明において、前記本体（３１０）の内側には、昇下降ガイド部材（４００）の結合突起（４２０）と当接する部分に結合突起（４２０）が結合されるように結合溝（３１２）が形成されることが特徴で、結合溝（３１２）と結合突起（４２０）の結合を通じて、外キャップ（３００）と昇下降ガイド部材（４００）がかみ合うように構成され、外キャップ（３００）の回転時に昇下降ガイド部材（４００）が一緒に回転されるように構成される。
【００２６】
一方、前記外キャップ（３００）は、スポイドパイプ（８２０）が挿入、引出されることが可能なように中空（３４０）が形成されることが好ましい。
【００２７】
前記昇下降ガイド部材（４００）は、前記内キャップ（２００）の内部から係止部（２１０）へ安着されて、前記外キャップ（３００）の内側とかみ合うように形成され、外キャップ（３００）の回転によって一緒に回転するもので、外周面上部に、前記本体（３１０）の結合溝（３１２）に結合されて、本体（３１０）とかみ合うように一定間隔離隔された多数の結合突起（４２０）が形成される。
【００２８】
本発明において、前記昇下降ガイド部材（４００）の両側面には、対応する形状の一対のガイド溝（４１０）が形成されることが特徴で、外キャップ（３００）の回転による昇下降ガイド部材（４００）の回転時に、前記ガイド溝（４１０）がガイド突起（５１０）の移動を案内することにより、内容物貯蔵部（５００）の昇下降をガイドするように構成される。
【００２９】
前記内容物貯蔵部（５００）は、前記昇下降ガイド部材（４００）の内側から昇下降ガイド部材（４００）の回転によって昇下降されるように構成されるもので、前記一対のガイド溝（４１０）に各々結合され、ガイド溝（４１０）に沿って移動するように外周面上部に一対のガイド突起（５１０）が形成される。
【００３０】
前記内容物貯蔵部（５００）は、内部に粉末または液状の第２内容物が収容されるように空間が区画され、その下端部は開放形成されるが、後述する密閉部材（６００）によって開放された下端部が閉鎖され、第２内容物が容器本体（１００）へ流入されることを遮断することとなり、内容物貯蔵部（５００）の上昇時に開放された下端部が密閉部材（６００）と離隔され、第２内容物が容器本体（１００）へ落下して移動するように構成される。
【００３１】
一方、前記内容物貯蔵部（５００）の上端中央部には、スポイドパイプ（８２０）が挿入、引出されることが可能なように貫通ホール（５２０）が形成される。
【００３２】
前記密閉部材（６００）は、前記内容物貯蔵部（５００）の開放された下端を閉鎖するもので、前記内容物貯蔵部（５００）の下端内周面に密着して内容物貯蔵部（５００）の下端を閉鎖する密閉板（６１０）と、前記密閉板（６１０）の上端中央部から上方向へ延長形成され、前記外キャップ（３００）の密閉部材固定部（３３０）に結合される結合管（６２０）で構成される。
【００３３】
前記回転ガイド部材（７００）は、前記内キャップ（２００）と昇下降ガイド部材（４００）との間で前記内キャップ（２００）とかみ合うように設置されるもので、その外周面上部に前記内キャップとかみ合うことが可能なように回転防止溝（２２０）に挿入される多数の回転防止突起（７１０）が形成される。
【００３４】
前記回転防止突起（７１０）は、回転防止溝（２２０）に挿入され、回転ガイド部材（７００）を内キャップ（２００）に固定させることで、外キャップ（３００）および昇下降ガイド部材（４００）の回転時に回転されず、内容物貯蔵部（５００）のガイド突起（５１０）の移動をガイドすることとなるため、前記回転ガイド部材（７００）の内周面には、前記ガイド突起（５１０）の移動を案内するようにねじ山（７２０）が形成されることが望ましい。
【００３５】
前記回転ガイド部材（７００）は、前記ねじ山（７２０）を通じてガイド突起（５１０）の移動を案内することで、内容物貯蔵部（５００）の昇下降をガイドすることとなる。
【００３６】
前記スポイド部（８００）は、前記外キャップ（３００）に脱離可能に結合されるもので、前記スポイド結合部（３２０）を覆ってネジ結合され、ユーザーの手で把持可能な把持部（８１０）と、前記把持部（８１０）の中央から下方向へ延長形成されて内容物を吸引、排出する管形状のスポイドパイプ（８２０）と、前記把持部（８１０）の上端で、前記スポイドパイプ（８２０）の上部を覆って結合され、ユーザーの加圧によって前記スポイドパイプ（８２０）の内部へ内容物を吸入してから排出させるラバー部材（８３０）で構成される。
＊前記のスポイド部（８００）は、内容物貯蔵部（５００）に貯蔵された第２内容物が容器本体（１００）へ移動して、第１，２内容物が混合された状態でラバー部材（８３０）の操作を通じて前記容器本体（１００）に収容される第１，２内容物の混合内容物を定量引き出して使用することを可能にする。
【００３７】
一方、前記外キャップ（３００）の上部には、スポイド部（８００）の誤作動を防止し、スポイド部（８００）のラバー部材（８３０）を保護するように、前記スポイド部（８００）を覆うオーバーキャップ（９００）が結合されることが好ましい。
【００３８】
以下では、図７ないし９を参照して、本発明の好ましい実施例による異種内容物の混合使用が可能なスポイド型化粧品容器の作動過程を説明する。図７ないし９は、本発明の好ましい実施例による異種内容物の混合使用が可能なスポイド型化粧品容器の作動状態を示す状態図である。
【００３９】
図７ないし９を参照すると、本発明の好ましい実施例による異種内容物の混合使用が可能なスポイド型化粧品容器は、内容物貯蔵部（５００）のガイド突起（５１０）がガイド溝（４１０）の下端に位置した状態では、内容物貯蔵部（５００）の下端開放部が密閉部材（６００）によって閉鎖された状態で位置することで、外キャップ（３００）を回転させると、外キャップ（３００）とかみ合う昇下降ガイド部材（４００）が一緒に回転することとなり、これによって、ガイド突起（５１０）がガイド溝（４１０）に沿って移動することとなる。このとき、回転ガイド部材（７００）のねじ山（７２０）がガイド突起（５１０）の上昇を案内することとなり、ガイド突起（５１０）が上昇することによって内容物貯蔵部（５００）が上昇し、内容物貯蔵部（５００）の下端開放部が密閉部材（６００）から離隔されることで、内容物貯蔵部（５００）に収容された第２内容物が下方向へ落下し、容器本体（１００）へ移動して第１内容物と第２内容物の混合が行われる。
【００４０】
前記のように第１，２内容物の混合が完了すると、スポイド部（８００）のラバー部材（８３０）を操作して、混合内容物をスポイドパイプ（８２０）の内部へ吸入し、スポイド部（８００）を外キャップ（３００）から脱離させることで、混合内容物を定量引き出して用いることが可能となる。
【００４１】
図面と明細書で最適の実施例が開示された。ここで特定の用語らが用いられたが、これは単に本発明を説明するための目的で用いられたものであり、意味の限定や特許請求の範囲に記載された本発明の範囲を制限するために用いられたのではない。従って、当該技術分野の通常の知識を有する者であれば、多様な変形及び均等な他の実施例が可能であることを理解すべきである。したがって、本発明の真の技術的保護範囲は、添付された特許請求の範囲の技術的思想によって定められるべきである。
【図１】
2015516200.tif 000003
【図２】
2015516200.tif 000004
【図３】
2015516200.tif 000005
【図４】
2015516200.tif 000006
【図５】
2015516200.tif 000007
【図６】
2015516200.tif 000008
【図７】
2015516200.tif 000009
【図８】
2015516200.tif 000010
【図９】
2015516200.tif 000011
【国際調査報告】
2015516200.tif 000012
2015516200.tif 000013
2015516200.tif 000014
2015516200.tif 000015